(57)【要約】【課題】扱い易い筆記具、を提供する。【解決手段】毛筆１０は、ものを書き記すための穂部１１と、穂部１１を支持する本体２１と、リング状のリング５１とを有する。本体２１は、指先を挿入可能な筒形状を有する。本体２１には、その一方端から軸方向に沿ってスリット２３が形成されている。リング５１は、本体２１の外周上に配置される。本体２１に指先を挿入した状態で、リング５１を本体２１の軸方向にスライド移動させることによって、指先が本体２１の内側に固定される。【選択図】図１
2010125625.tif 000002
【特許請求の範囲】
【請求項１】
ものを書き記す筆記部と、
指先を挿入可能な筒形状を有し、その一方端から軸方向に沿ってスリットが形成され、前記筆記部を支持する本体部と、
前記本体部の外周上に配置されるリング状の締め付け部材とを備え、
前記本体部に指先を挿入した状態で、前記締め付け部材を前記本体部の軸方向にスライド移動させることによって、指先が前記本体部の内側に固定される、筆記具。
【請求項２】
径の異なる複数種類の前記締め付け部材を備える、請求項１に記載の筆記具。
【請求項３】
前記筆記部が設けられ、前記本体部に対して着脱自在に接続されるホルダ部と、
前記ホルダ部に固定され、前記筆記部を覆うように設けられるキャップ部とをさらに備え、
前記ホルダ部は、前記キャップ部と一体となった状態で前記本体部に対して着脱される、請求項１または２に記載の筆記具。
【発明の詳細な説明】
【技術分野】
【０００１】
この発明は、一般的には、ものを書く記すための筆記具に関し、より特定的には、書道、絵画、塗り絵、化粧等に用いられる毛筆に関する。
【背景技術】
【０００２】
たとえば、実開昭６４−１７７８３号公報には、毛筆の穂先を直接人の指先に嵌め込むことができる指筆が開示されている（特許文献１）。特許文献１に開示された指筆は、指先に嵌め込むことが可能な内径を有する筒形状の軸部を有する。また、特許文献１に開示された別の指筆においては、軸部に、面ファスナのようなシート状の接着部材が用いられている。
【０００３】
また、実開昭６２−１６６０７８号公報には、指先に嵌めて字や絵画を書くための指先毛筆が開示されている（特許文献２）。特許文献２に開示された指先毛筆は、毛筆の穂先が嵌入される穂先筒と、穂先筒が接続される指先筒とから構成されている。
【０００４】
また、実用新案登録第３１２４６８０号公報には、筆記時に筆記用具を３本の指で保持せずに筆記を可能とし、筆記具を手放すことを要せず、同時に軽作業を行なうことが可能であり、手および指の障害等によって筆記が不自由な人にも筆記を可能とする指装着型筆記具が開示されている（特許文献３）。また、特開昭５９−２９１９９号公報には、指に着脱して指先で文字等を描き得ることを特徴とする指筆記具が開示されている（特許文献４）。
【特許文献１】実開昭６４−１７７８３号公報
【特許文献２】実開昭６２−１６６０７８号公報
【特許文献３】実用新案登録第３１２４６８０号公報
【特許文献４】特開昭５９−２９１９９号公報
【発明の開示】
【発明が解決しようとする課題】
【０００５】
近年、幼児教育やリハビリテーションの現場において、書道や絵画、塗り絵等を行なうため手軽に扱える筆記具が求められている。一方、筆先が動物の毛やナイロン毛、スポンジから形成される筆記具の場合、筆圧が直接、線の太さや書体となって現れるため、書き手に微妙なタッチが要求される。このため、柔軟性を有する筆先を備える筆記具の場合、鉛筆やボールペンなどとは異なり、その扱いが難しい。
【０００６】
一方、上述の特許文献１〜４には、指先に嵌めて使用される各種の毛筆が開示されている。しかしながら、このような構成を備える毛筆にあっても、指先と毛筆との一体感が十分に得られない場合、書き手は毛筆を思い通りに扱うことができない。また、指先の大きさや形状は人によって異なるため、指先と毛筆との一体感についてあらゆる書き手に満足を与えることは難しい。
【０００７】
そこでこの発明の目的は、上記の課題を解決することであり、扱い易い筆記具を提供することである。
【課題を解決するための手段】
【０００８】
この発明に従った筆記具は、ものを書き記す筆記部と、筆記部を支持する本体部と、リング状の締め付け部材とを備える。本体部は、指先を挿入可能な筒形状を有する。本体部には、その一方端から軸方向に沿ってスリットが形成されている。締め付け部材は、本体部の外周上に配置される。本体部に指先を挿入した状態で、締め付け部材を本体部の軸方向にスライド移動させることによって、指先が本体部の内側に固定される。
【０００９】
このように構成された筆記具によれば、本体部に挿入された指先の大きさや形状に合わせて、締め付け部材のスライド位置を調整する。これにより、指先を本体部の内側に確実に固定し、指先と筆記具との一体感を向上させることができる。このため、扱い易い筆記具を実現することができる。
【００１０】
また好ましくは、筆記具は、径の異なる複数種類の締め付け部材を備える。このように構成された筆記具によれば、本体部に挿入された指先の大きさや形状に合わせて、適当な径の締め付け部材を選択することができる。
【００１１】
また好ましくは、筆記具は、ホルダ部と、キャップ部とをさらに備える。ホルダ部は、筆記部が設けられ、本体部に対して着脱自在に接続される。キャップ部は、ホルダ部に固定され、筆記部を覆うように設けられる。ホルダ部は、キャップ部と一体となった状態で本体部に対して着脱される。
【００１２】
このように構成された筆記具によれば、本体部に対して複数のホルダ部を準備することにより、ホルダ部の交換を通じて、異なる大きさまたは種類の筆記部の使用が可能となる。この際、筆記部を覆うキャップ部ごとホルダ部を交換することにより、作業者は、使用後の筆記部に直接触れることなく交換作業を行なうことができる。
【発明の効果】
【００１３】
以上に説明したように、この発明に従えば、扱い易い筆記具を提供することができる。
【発明を実施するための最良の形態】
【００１４】
この発明の実施の形態について、図面を参照して説明する。なお、以下で参照する図面では、同一またはそれに相当する部材には、同じ番号が付されている。
【００１５】
（実施の形態１）
図１は、この発明の実施の形態１における毛筆の使用形態を示す斜視図である。図１を参照して、まず、本実施の形態における毛筆１０の基本的な構造について説明すると、筆記具としての毛筆１０は、ものを書き記す筆記部としての穂部１１と、穂部１１を支持する本体部としての本体２１と、リング状の締め付け部材としてのリング５１とを有する。本体２１は、指先を挿入可能な筒形状を有する。本体２１には、その一方端から軸方向に沿ってスリット２３が形成されている。リング５１は、本体２１の外周上に配置される。本体２１に指先を挿入した状態で、リング５１を本体２１の軸方向にスライド移動させることによって、指先が本体２１の内側に固定される。
【００１６】
続いて、本実施の形態における毛筆１０の構造について詳細に説明する。毛筆１０は、書道用の筆または絵画や塗り絵に用いられる絵筆である。毛筆１０は、墨汁やインクを用いて、文字や絵、色などを書きしるす場合に使用される。なお、本発明における毛筆は、化粧に用いられる化粧筆であってもよい。
【００１７】
穂部１１は、墨汁やインク等の液体が染み込む部分である。穂部１１は、動物の毛やナイロン毛などを束ねて形成されている。本実施の形態では、穂部１１の根元部分（穂首）が接着剤によって固められている。また、穂部１１の形状は、図１中に示す形態に限られず、たとえば平筆タイプやハケ状の筆先であってもよい。
【００１８】
なお、本発明において、ものを書き記すための筆記部は、動物の毛やナイロン毛などから形成される穂部に限定されない。たとえば、筆記部は、墨汁やインキ等の液体を吸い込むことが可能なスポンジ部であってもよい。筆記部が、穂部１１もしくはスポンジ部から構成される場合、筆先が柔軟性を有するという点で共通する。また、筆記部は、硬質なペン先や鉛筆の芯などであってもよい。
【００１９】
毛筆１０は、ホルダ部としてのホルダ３１をさらに有する。本体２１の一方端側２１ｍには、書き手の指先が挿入され、本体２１の他方端２１ｎ側には、ホルダ３１を介して穂部１１が接続されている。穂部１１は、本体２１に挿入された指先の延長上に配置されている。
【００２０】
なお、本実施の形態では、書き手の人差し指が本体２１に挿入されているが、人差し指以外の指が挿入されてもよい。また、本実施の形態では、穂部１１と、本体２１に挿入された指先とが一直線上に並ぶように毛筆１０が構成されているが、本体２１に挿入された指先に対して穂部１１が傾斜して設けられてもよい。
【００２１】
図２は、図１中の毛筆を構成する本体を示す図である。図２を参照して、本体２１は、軸方向に貫通孔２２が形成された円筒形状を有する。なお、貫通孔２２の形態に限られず、一方端２１ｍと他方端２１ｎとの間が区画された形態で孔が形成されてもよい。本体２１は、たとえば、エラストマから形成されている。好ましくは、本体２１は、本体２１の外周上でリング５１をスライド移動させた場合に、リング５１によって変形しない程度の硬度を有する。
【００２２】
本体２１には、複数のスリット２３が形成されている。スリット２３は、指先を挿入する側の本体２１の一方端２１ｍから、穂部１１を支持する側の本体２１の他方端２１ｎより内側の位置まで、本体２１の軸方向に延びて形成されている。複数のスリット２３は、本体２１の周方向において互いに間隔を隔てた位置に形成されている。複数のスリット２３によって、本体２１は径方向に変形可能に形成されている。本体２１は、本体２１の軸方向において、他方端２１ｎ側から一方端２１ｍ側に近づくに従って径方向に広がる形状を有する。
【００２３】
スリット２３が形成される数は、特に限定されないが、好ましくは、２以上のスリット２３が形成される。本実施の形態における毛筆１０においては、６本のスリット２３が形成されている。
【００２４】
本体２１は、係止部２６を有する。係止部２６は、貫通孔２２の内壁から突出するように形成されている。係止部２６は、本体２１の軸方向においてスリット２３が形成されていない範囲に形成されている。係止部２６は、本体２１の他方端２１ｎ側に形成されている。係止部２６には、溝２５が形成されている。溝２５は、本体２１の周方向の所定の位相位置において、本体２１の軸方向に延びて形成されている。本実施の形態では、２つの溝２５が、互いに１８０°ずれた位相位置に形成されている。
【００２５】
本体２１は、リング止め２４ｐおよびリング止め２４ｑを有する。リング止め２４ｐおよびリング止め２４ｑは、本体２１の外周面から突出するように形成されている。リング止め２４ｐおよびリング止め２４ｑは、本体２１の軸方向に離間した位置に形成されている。リング止め２４ｐおよびリング止め２４ｑは、リング５１が本体２１の外周上から抜けることを防ぐために形成されている。
【００２６】
図３は、図１中の毛筆を構成するリングを示す図である。図３を参照して、リング５１は、リング形状を有する。リング５１は、ポリプロピレン（polypropylene）等の樹脂から形成されている。リング５１は、内周面５２を有する。内周面５２は、リング５１の軸方向に平行に延在する平面により形成されている。このような構成により、内周面５２を本体２１の外周面に対して滑らしながら、リング５１を本体２１の外周上で円滑にスライド移動させることができる。
【００２７】
本実施の形態における毛筆１０は、サイズ（径）の異なる複数のリング５１を有する。サイズが認識し易いように、リング５１はサイズごとに色分けされてもよい。
【００２８】
なお、図１中には、本体２１の外周上に１つのリング５１が配置される場合を示したが、２以上のリング５１が同時に使用されてもよい。この際、本体２１と指先との一体感を高めるように、サイズの異なる複数のリング５１が用いられてもよい。たとえば、サイズの大きいリング５１が一方端２１ｍ側に配置され、一回りサイズの小さいリング５１が他方端２１ｎ側に配置されて使用される。
【００２９】
図４は、図１中の毛筆を構成するホルダを示す図である。図４を参照して、ホルダ３１は、穂部挿入孔３８が形成された筒形状を有し、その一方端が底部３２によって閉塞されている。ホルダ３１は、ポリプロピレン（polypropylene）等の樹脂から形成されている。ホルダ３１は、図２中の本体２１に形成された貫通孔２２に対して挿入可能な形状を有する。
【００３０】
ホルダ３１は、係止部３３を有する。係止部３３は、ホルダ３１の一方端側に形成されている。係止部３３は、ホルダ３１の外周面から突出するように形成されている。係止部３３は、図２中の本体２１に形成された溝２５に対応する位置に形成されている。係止部３３は、貫通孔２２に対するホルダ３１の挿入時において溝２５に挿入可能な形状を有する。
【００３１】
ホルダ３１は、鍔部３６をさらに有する。鍔部３６は、ホルダ３１の他方端側に形成されている。鍔部３６は、ホルダ３１の外周面からその径方向に広がって形成されている。鍔部３６には、溝３７が形成されている。溝３７は、本体２１の周方向の所定の位相位置において、ホルダ３１の軸方向に延びて形成されている。本実施の形態では、２つの溝３７が、互いに１８０°ずれた位相位置に形成されている。
【００３２】
ホルダ３１には、孔３４が形成されている。孔３４は、ホルダ３１の底部３２を貫通するように形成されている。
【００３３】
図５は、図１中の毛筆を示す断面図である。図５を参照して、穂部１１は、ホルダ３１の穂部挿入孔３８に挿入されている。孔３４には、ピン部材４１が挿入されている。ピン部材４１のピン先が穂部１１の根元部分に突き刺さった形態により、穂部１１がホルダ３１に対して固定されている。なお、穂部１１の長さが比較的短い場合には、ピン部材４１を穂部１１の根元部分に突き刺す構造によって、穂部１１の穂先をまとめるという効果も奏される。
【００３４】
ホルダ３１は、他方端２１ｎ側から貫通孔２２に挿入された状態で本体２１に接続されている。ホルダ３１は、係止部２６に対する係止部３３の係止構造によって、本体２１に固定されている。
【００３５】
本体２１に対するホルダ３１の接続時、係止部３３の位置を溝２５に合わせながら、ホルダ３１を貫通孔２２に挿入する。係止部３３が溝２５から抜ける位置までホルダ３１を挿入したら、ホルダ３１を周方向に回転させる。これにより、係止部３３が係止部２６に対して係止される。逆にホルダ３１を本体２１から取り外す場合には、ホルダ３１を回転させて係止部３３の位置を溝２５に合わせた後、ホルダ３１を貫通孔２２から引き抜けばよい。このような構成により、ホルダ３１は、本体２１に対して着脱自在に設けられている。
【００３６】
本実施の形態における毛筆１０の指先への装着方法について説明すると、毛筆１０の装着時、まず、指先を本体２１に挿入する。この際、好ましくは、リング５１を本体２１の他方端２１ｎ側に寄せておく。本体２１は、スリット２３が形成されたことにより径方向に変形可能なため、指先を円滑に挿入することができる。
【００３７】
次に、指先を本体２１に挿入した状態で、本体２１の外周上に配置されたリング５１を指の根元側に向けてスライド移動させる。この際、本体２１に挿入された指先の大きさや形状にかかわらず、リング５１を適当な位置までスライド移動させることによって、指先を本体２１の内側により確実に固定することができる。
【００３８】
このように構成された、この発明の実施の形態１における毛筆１０によれば、毛筆１０は、本体２１に指先を挿入した状態で使用される。このため、たとえば、幼児が習字やお絵書きを習う場合や、指先の感覚を取り戻すために老人がリハビリテーションを行なう場合であっても、毛筆１０を手軽に利用できる。
【００３９】
このような毛筆１０において、本体２１に対する指先の固定にリング５１を用いることにより、指先と本体２１との一体感を向上させることができる。また、指先の大きさが全く異なる複数人が毛筆１０を使用する場合であっても、適当なサイズのリング５１を選択することによって、全ての人が十分な一体感を得ることができる。結果、書き手は、毛筆１０を自分の指の一部のようにして扱い、穂部１１の穂先を紙面上の意図した場所に位置決めしたり、所望の筆圧で字や絵を書くことが可能となる。
【００４０】
また、本実施の形態における毛筆１０は、本体２１に対して着脱可能なホルダ３１を有する。このような構成により、予め複数のホルダ３１を準備しておくことによって、使用中の穂部１１を、穂の種類や大きさの異なる別の穂部１１と取り替えることが可能となる。これにより、毛筆１０の使用目的の幅を広げることができる。
【００４１】
なお、本実施の形態における毛筆１０では、穂部１１をホルダ３１を介して本体２１に接続する構造について説明したが、このような構造に限られず、穂部１１を本体２１に直接、接続する構造を採用してもよい。この場合であっても、本体２１の外周上に配置されるリング５１によって、指先と本体２１との一体感を向上させる効果を同様に得ることができる。
【００４２】
（実施の形態２）
図６は、この発明の実施の形態２における毛筆の使用形態を示す斜視図である。本実施の形態における毛筆は、実施の形態１における毛筆１０と比較して、基本的には同様の構造を備える。以下、重複する構造についてその説明を繰り返さない。
【００４３】
図６を参照して、本実施の形態における毛筆６０は、実施の形態１における毛筆１０の構造に加えて、キャップ部としてのキャップ６１をさらに有する。
【００４４】
キャップ６１は、穂部１１を覆うことが可能なキャップ形状を有する。本実施の形態では、キャップ６１が、穂部１１の外周上でその周方向に分割された分割体６２および分割体６３から構成されている。分割体６２および分割体６３は、回動自在に連結されており、互いが重なる位置まで回動させることによって穂部１１を覆う形態をとる。キャップ６１には、通気孔６４が形成されている。通気孔６４は、使用後の穂部１１を収容するキャップ６１の内部空間と、外部空間との間を連通させる。
【００４５】
キャップ６１は、突出部６６を有する。突出部６６は、キャップ６１の内周面からその内径方向に広がるように形成されている。キャップ６１は、キー部６８をさらに有する。キー部６８は、キャップ６１の内周面から突出するように形成されている。キー部６８は、図４中のホルダ３１に形成された溝３７に対応する位置に形成されている。
【００４６】
図７は、図６中のキャップ部を装着した状態の毛筆を示す断面図である。図８は、図６中のキャップ部の取り外し時の工程を示す側面図である。
【００４７】
図７を参照して、ホルダ３１が本体２１に接続された状態で、ホルダ３１の鍔部３６と、本体２１の他方端２１ｎ側の端部との間には、隙間が形成されている。キャップ６１は、この隙間に突出部６６が嵌合し、さらに、キー部６８が溝３７に嵌合するように、ホルダ３１に固定されている。ホルダ３１とキャップ６１とは、ホルダ３１を本体２１から取り外す際にホルダ３１が操作される方向、すなわちホルダ３１の周方向において、キー部６８と溝３７との嵌合構造により一体に固定されている。
【００４８】
図８を参照して、本実施の形態においては、ホルダ３１を本体２１から取り外す場合、キャップ６１ごとホルダ３１を周方向に回転させ、係止部３３の位置を溝２５に合わせた後、貫通孔２２から引き抜く。このため、作業者は、キャップ６１によって穂部１１に触れることなくホルダ３１の交換が可能となるため、ホルダ３１の交換時の作業性を向上させることができる。
【００４９】
このような構成を備える毛筆６０においては、ホルダ３１の数に合わせて複数のキャップ６１が準備されてもよい。これにより、複数のホルダ３１が準備されている場合であっても、ホルダ３１およびキャップ６１をセット品として扱い、たとえば、穂部１１をキャップ６１で覆った状態で収納することも可能となる。
【００５０】
図９は、図６中の毛筆の別の使用形態を示す斜視図である。図９を参照して、本実施の形態における毛筆６０においては、リング５１を用いることによって、キャップ６１を本体２１に挿入した状態で固定することができる。これにより、書き手は、指先に挿入して使用する形態以外に、キャップ６１を把持して毛筆６０を扱うことが可能となる。結果、毛筆の使用形態の幅を広げ、より多くの人に書道に親しんでもらうことができる。
【００５１】
このように構成された、この発明の実施の形態２における毛筆６０によれば、実施の形態１に記載の効果を同様に得ることができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】この発明の実施の形態１における毛筆の使用形態を示す斜視図である。
【図２】図１中の毛筆を構成する本体を示す図である。
【図３】図１中の毛筆を構成するリングを示す図である。
【図４】図１中の毛筆を構成するホルダを示す図である。
【図５】図１中の毛筆を示す断面図である。
【図６】この発明の実施の形態２における毛筆の使用形態を示す斜視図である。
【図７】図６中のキャップ部を装着した状態の毛筆を示す断面図である。
【図８】図６中のキャップ部の取り外し時の工程を示す側面図である。
【図９】図６中の毛筆の別の使用形態を示す斜視図である。
【符号の説明】
【００５４】
１０，６０  毛筆、１１  穂部、２１  本体、２３  スリット、３１  ホルダ、５１  リング、６１  キャップ。
【図１】
2010125625.tif 000003
【図２】
2010125625.tif 000004
【図３】
2010125625.tif 000005
【図４】
2010125625.tif 000006
【図５】
2010125625.tif 000007
【図６】
2010125625.tif 000008
【図７】
2010125625.tif 000009
【図８】
2010125625.tif 000010
【図９】
2010125625.tif 000011